(57)【要約】      （修正有）【課題】ＬＥＤを用いた照明装置の照射性を向上させて照明範囲および照度を確保し、従来に比べて使用個数を減らし、照明装置としての消費電流の低減による発熱抑制を両立させた冷蔵庫を提供する。【解決手段】ＬＥＤ２発光部周辺（照射方向と逆方向）に光を反射させる反射手段を備えることにより、ＬＥＤ２からの照射方向以外の光を照射方向へ反射するので、ＬＥＤ２の照射性および照射範囲の向上を図ることができる。【選択図】図３
2008039359.tif 000002
【特許請求の範囲】
【請求項１】
内部に物品を貯蔵する貯蔵室を具備した筐体と、前記貯蔵室の開口を開閉する扉と、前記貯蔵室の内部に設けられた照明装置を具備し、前記照明装置を、前記貯蔵室内を照射する複数のＬＥＤと、前記複数のＬＥＤを並設した実装基板と、前記ＬＥＤの周辺に設けられ、前記ＬＥＤから発せられる照射方向以外の光を照射方向へ反射させる反射手段を具備する構成とした貯蔵装置。
【請求項２】
前記ＬＥＤと前記実装基板の間に位置し、表面に鏡面効果を有する反射手段を設けた請求項１に記載の貯蔵装置。
【請求項３】
前記実装基板表面に、表面処理や反射素材等を施し、前記反射手段を構成した請求項１に記載の貯蔵装置。
【請求項４】
前記反射手段の表面形状を、前記ＬＥＤの実装位置に合わせて曲面または凹凸状に形成した請求項１に記載の貯蔵装置。
【請求項５】
前記反射手段を、前記ＬＥＤの発光部全体を覆うランプカバーの取付け方向と同一方向から取付ける構成とした請求項１から４のいずれか一項に記載の貯蔵装置。
【請求項６】
前記貯蔵室における前記照明装置の埋設部周辺を反射構造とし、前記反射手段を構成した請求項１から５のいずれか一項に記載の貯蔵装置。
【請求項７】
前記反射手段を、前記ＬＥＤの照射角度範囲内に設けた請求項１から６のいずれか一項に記載の貯蔵装置。
【発明の詳細な説明】
【技術分野】
【０００１】
本発明は、冷蔵庫等で代表される貯蔵装置の貯蔵室内に設けられ、保存物を照射する照明装置を具備した貯蔵装置に関するものである。
【背景技術】
【０００２】
近年、冷蔵庫における庫内照明装置として、従来の白熱灯や電球に変わり、発熱性が低く、赤外波長がでないこと、および低電圧駆動できる等の理由でＬＥＤを用いるものが提案されている。
【０００３】
従来のＬＥＤを照明装置として利用した冷蔵庫としては、複数のＬＥＤを一枚の基板に実装し、庫内天面に設置して庫内照射しているものがある（例えば、特許文献１参照）。
【０００４】
図９は、上記特許文献１に記載された従来の冷蔵庫に用いられる照明装置の斜視図を示すものである。
【０００５】
図９に示すように、照明装置は、実装基板１と、複数のＬＥＤ２と、断熱板４を具備した構成であり、冷蔵庫の庫内に設置される。
【０００６】
実装基板１は平板状で、一面または両面に回路パターン（図示せず）が形成され、一般的には、熱伝導性の良好なエポキシ樹脂系の基板や絶縁金属基板が採用される。ＬＥＤ２は、砲弾状に形成され、電流を通電する２本の通電端子３が導出されている。
【０００７】
断熱板４は、ウレタン等の樹脂により平板状に形成されたもので、複数の挿通孔が並設されており、実装基板１とＬＥＤ２との間に設けられている。ここで、ＬＥＤ２は、通電端子３が断熱板４の挿通孔に挿通され、実装基板１の回路パターンに半田付けされて実装され、複数個が実装基板１に並設された構成である。尚、ＬＥＤ２の発熱量が少ない場合には、断熱板４は廃止しても構わない。
【０００８】
以上のように構成されたＬＥＤを照明装置として利用した冷蔵庫について、以下その動作を説明する。
【０００９】
まず、冷蔵庫の扉が閉まっている時には、ＬＥＤ２への通電は行なわず、庫内は照射されていない。そして、扉が開けられると、機械式スイッチやホールＩＣ等の電子式スイッチで開扉状態と判断され、実装基板１に直流電圧が印加され、通電端子３を通してＬＥＤ２に順方向電流を流すことにより、白色光が発光されて庫内が照射される。
【特許文献１】特開平１１−１５９９５３号公報
【発明の開示】
【発明が解決しようとする課題】
【００１０】
しかしながら、上記従来の構成では、これまで照明用途に用いられた白熱灯や電球と比べて、ＬＥＤ光は指向性が強いため、広範囲に光を照射することが困難であり、結果、従来技術のように多くのＬＥＤ２を並べたユニットを構成する必要がある。
【００１１】
この構成は、ＬＥＤ２を多く用いることによるコスト増大を招くだけでなく、隣り合ったＬＥＤ同士の照射方向以外への光が重なる等して照射性および照射効率が低く、また消費電流の増大による実装基板１や回路パターンからの発熱が課題となる。
【００１２】
特に冷蔵庫に用いた場合、またＬＥＤ実装基板を庫内に内蔵するため、庫内照明としての照射範囲と照度の向上と、消費電流を小さくしてのＬＥＤ発光による発熱および冷蔵庫としての消費電力の抑制を両立することが求められる。
【００１３】
本発明は、上記従来の課題を解決するもので、ＬＥＤを用いた照明装置の照射性を向上させて照明範囲および照度を確保し、従来に比べて使用個数を減らし、照明装置としての消費電流の低減による発熱抑制を両立させた冷蔵庫を提供することを目的とする。
【課題を解決するための手段】
【００１４】
上記従来の課題を解決するために、本発明の貯蔵装置は、ＬＥＤ発光部周辺（照射方向と逆方向）に光を反射させる反射手段を備えたものである。
【００１５】
これによって、ＬＥＤからの照射方向以外の光を照射方向へ反射させることができ、ＬＥＤの照射性および照射範囲の向上を図ることができる。
【発明の効果】
【００１６】
本発明の貯蔵装置は、ＬＥＤからの照射方向以外の光を漏れなく所定の照射方向へ反射できるため、照射指向性の強いＬＥＤを用いて庫内照明装置とした場合でも、照射性および照射範囲が向上でき、貯蔵室庫内照射における演出性を高めるとこができる。
【００１７】
また、本発明の貯蔵装置は、ＬＥＤの照射性および照射範囲が向上するため、照明装置としてのＬＥＤの使用個数を減らすことができ、消費電流の低減による発熱を抑制することができる。
【発明を実施するための最良の形態】
【００１８】
請求項１に記載の発明は、内部に物品を貯蔵する貯蔵室を具備した筐体と、前記貯蔵室の開口を開閉する扉と、前記貯蔵室の内部に設けられた照明装置を具備し、前記照明装置を、前記貯蔵室内を照射する複数のＬＥＤと、前記複数のＬＥＤを並設した実装基板と、前記ＬＥＤの周辺に設けられ、前記ＬＥＤから発せられる照射方向以外の光を照射方向へ反射させる反射手段を具備する構成としたものである。
【００１９】
かかる構成とすることにより、前記複数のＬＥＤから広範囲に発光される光を前記反射手段で反射させ、所定の方向に照射させるので、前記ＬＥＤの照射性および照射範囲を向上することができ、照明の演出性を高めることができる。
【００２０】
請求項２に記載の発明は、前記ＬＥＤと前記実装基板の間に位置し、表面に鏡面効果を有する反射手段を設けたものである。
【００２１】
したがって、前記反射手段に、銀メッキまたはアルミテープ等により鏡面効果を持たせ、これを前記ＬＥＤと実装基板の間に構成することにより、前記ＬＥＤの照射方向以外（特に反射手段側向き）の僅かな光も所定の照射方向へ反射させることができ、その結果、前記ＬＥＤの実装位置だけでなく、前記ＬＥＤとＬＥＤの間からも所定の方向に照射でき、視覚的な照射斑をなくすことができる。
【００２２】
請求項３に記載の発明は、前記実装基板表面に、表面処理や反射素材等を施し、前記反射手段を構成したものである。
【００２３】
かかることにより、前記実装基板表面に、アルミテープまたは反射フィルム等の反射材を貼付ける構成とすることで、反射手段が構成でき、さらに、前記実装基板と前記反射手段を一体とすることにより、容易な組付けで、照射性および照射範囲を向上させた照明装置を構成することができる。
【００２４】
請求項４に記載の発明は、前記反射手段の表面形状を、前記ＬＥＤの実装位置に合わせて曲面または凹凸状に形成したものである。
【００２５】
かかることにより、ＬＥＤ一個当たりの所定照射方向以外の光を照射方向へ反射させることができ、これにより、ＬＥＤの照射性および照射範囲を最大限に向上させることができる。
【００２６】
請求項５に記載の発明は、前記反射手段を、前記ＬＥＤの発光部全体を覆うランプカバーの取付け方向と同一方向から取付ける構成としたものである。
【００２７】
かかる構成とすることにより、前記実装基板に前記ＬＥＤを実装して照明基板を構成し、この照明基板を貯蔵室内の壁面へ埋設させた後に前記反射手段を取付けることが可能となる。その結果、作業方向が同方向となり、前記ＬＥＤの実装等の組付けが容易で、照射性および照射範囲を向上させることができる。
【００２８】
請求項６に記載の発明は、前記貯蔵室における前記照明装置の埋設部周辺を反射構造とし、前記反射手段を構成したものである。
【００２９】
かかることにより、照射方向に対し、横へ広がる光を所定の照射方向へ反射させることが可能となり、照射性および照射範囲を向上させることができる。
【００３０】
請求項７に記載の発明は、前記反射手段を、前記ＬＥＤの照射角度範囲内に設けたもので、ＬＥＤから広範囲に発光される光を反射手段によって前方向に照射させるので、ＬＥＤの照射性および照射範囲を向上することができ、照明の演出性を高めることができる。
【００３１】
以下、本発明の実施の形態について、図面を参照しながら説明するが、従来例または先に説明した実施の形態と同一構成については同一の符号を付して、その詳細な説明は省略する。尚、この実施の形態によってこの発明が限定されるものではない。
【００３２】
（実施の形態１）
図１は、本発明の実施の形態１における冷蔵庫の扉を取り去った状態の正面図である。図２は、図１のＡ−Ａ線による冷蔵室の断面図である。図３は、図２のＢ−Ｂ線による冷蔵室側壁に設けた照明装置の断面図である。
【００３３】
図１および図２において、断熱筐体からなり、周囲と断熱されている冷蔵庫本体５は、複数の区画に区分された貯蔵室を形成しており、最上部の貯蔵室を冷蔵室６とし、冷蔵室６の直下に、断熱仕切り壁によって区画された製氷室７と切替え室８を横並びで配置している。最下段の貯蔵室は、冷凍室１０であり、そして製氷室７及び切替え室８と冷凍室１０の間には、野菜室９が配置されている。
【００３４】
冷蔵室６内には、保存物を重ならずに整理して保存するための複数の収納棚１２が設けられ、一部は上下に可動にできるように構成されている。そして、この冷蔵室６内の最下段には前面に専用扉１３ａを有する特定低温室１３が設けられ、この特定低温室１３で消費者は選定した特定保存物を最適な温度で保存することができる。
【００３５】
また、冷蔵室６の室内側壁には、扉開放前面から見て左右に、それぞれ照明装置１１が埋設された状態で設けられ、その冷蔵室６側表面は、ランプカバー１１ａで覆われている。照明装置１１は、図２に示す位置から奥行方向を主体に光を照射するものである。
【００３６】
次に、図３により、照明装置１１の詳細について説明する。
【００３７】
照明装置１１は、冷蔵室６の側壁１４に形成された凹部２０内に埋設されているもので、実装基板１と、実装基板１上で縦列に配置された複数のＬＥＤ２と、反射作用にてＬＥＤ２の発光照射方向を所定の方向に規制する第一のリフレクタ１６（本発明の反射手段に相当）と、ランプカバー１１ａを主要な構成要素としている。
【００３８】
実装基板１は、平板状で一面または両面に回路パターン（図示せず）が形成され、熱伝導性の良好なエポキシ樹脂系の基板あるいは絶縁金属基板を用いている。
【００３９】
また、ＬＥＤ２は、砲弾状に形成され、電流を通電する２本の通電端子３が導出されている。
【００４０】
第一のリフレクタ１６は、平板を基調とし、その表面に銀メッキやアルミテープが貼り付けられ、照射された光を反射させるように構成されている。そして、その周縁は、最奥部の辺を除いて若干傾斜するように折り曲げ加工が施されており、ＬＥＤ２の光が極力冷蔵室６の奥部へ照射されるように構成されている。また、第一のリフレクタ１６には、複数の挿通孔が並設されている。
【００４１】
第一のリフレクタ１６の裏面には、断熱板４が設けられており、この断熱板４は、ウレタン等の樹脂により平板状に形成されたもので、複数の挿通孔が並設されており、実装基板１、第一のリフレクタ１６、断熱材４、ＬＥＤ２の順番で取付けられている。
【００４２】
ここで、ＬＥＤ２は、その通電端子３が第一のリフレクタ１６、断熱板４の順で、それぞれに設けられた挿通孔に挿通され、実装基板１の回路パターンに半田付けされて実装された構成となっている。そして、複数個のＬＥＤ２は、実装基板１の上に縦列で並設されている。
【００４３】
さらに、実装基板１は、側壁１４の凹部２９においてスペーサー１５によって保持されており、また、ＬＥＤ２の発光部から一定の距離をおいて、ランプカバー１１ａが、ＬＥＤ２の発光部全体を覆うように冷蔵室６の凹部２０に装着されている。ランプカバー１１ａの取付けは、自身が有する可撓性を利用して爪部２０ａが係合する凹凸関係等、適宜周知の構成によって行われるものである。
【００４４】
尚、本実施の形態１においては、照明装置１１を、冷蔵室６の側壁１４に埋設する構成としたが、ランプカバー１１を通して食品等の保存物が照射できれば、天壁等庫内の何処の位置に埋設しても良い。さらに、ＬＥＤ２としては、白色光のものが最適で、具体的には色温度のケルビン値が４０００Ｋから７０００Ｋの範囲のものが好ましい。
【００４５】
以上のように構成された冷蔵庫の照明装置１１について、以下その動作、作用を説明する。
【００４６】
まず、冷蔵庫の扉（図示せず）が閉まっている時には、ドアスイッチ等（図示せず）の制御動作によりＬＥＤ２への通電は行なわず、庫内は照射されていない。
【００４７】
そして、扉が開けられると、ＬＥＤ２に順方向電流が流れて、白色光が発光される。ここまでは図９で説明した従来技術と同様の動作である。
【００４８】
次にＬＥＤ２から発光された光は、白矢印で示す照射方向Ａに照射され、ランプカバー１１ａに進行して庫内へ照射される。また、ＬＥＤ２は、砲弾型やチップ型で光が拡散する構造となっているため、一部、照射方向Ａとは逆方向に発光照射するが、この方向成分については、第一のリフレクタ１６によって反射され、照射された光が矢印線で示す反射方向Ｂに照射される。
【００４９】
したがって、ＬＥＤ２の発光は、そのほとんど全てが照射方向Ａと同じような方向へ発光し、ランプカバー１１を通して冷蔵室６内に照射される。ＬＥＤ２において、特にチップ型は、広い指向性があるので、かかる構成の場合は有効である。
【００５０】
尚、ＬＥＤ２の発熱量が少ない場合は、断熱材４を廃止して、実装基板１の表面に反射を促進するアルミテープや反射フィルムを貼り付け、もしくはコーティング材を塗布することにより、実装基板１にリフレクタ機能を付加することができ、その結果、実装する部品数を削減でき、組立て作業性も向上する。
【００５１】
また、断熱材４の表面に、同様にアルミテープや反射フィルムを貼り付け、もしくはコーティング材を塗布してもかまわない。
【００５２】
また、第一のリフレクタ１６の両端に角度を設けているため、ＬＥＤ２から発光する横方向側の照射を、第一のリフレクタ１６に反射させて前面方向へ発光することもできる。
【００５３】
以上のように、本実施の形態１における照明装置１１は、指向性の強いＬＥＤ２の照射性および照射範囲を向上することができ、照明の演出性を高めることができる。
【００５４】
また、ＬＥＤ２の照射方向以外（特に下向き）の僅かな光も照射方向へ反射することができるため、ＬＥＤ２の実装位置だけでなく、隣接するＬＥＤ２とＬＥＤ２の間からも照射でき、視覚的な照射ムラをなくすことができる。さらに、第一のレフレクタ１６における冷蔵室６の奥部側は、光を遮る構成としていないため、反射した光も極力冷蔵室６の奥部側へ照射することができ、冷蔵室６を広範囲に亘って照明することができる。
【００５５】
また、実装基板１と反射手段を一体にすることができ、容易な組付けで、照射性および照射範囲を向上させることができる。
【００５６】
（実施の形態２）
図４は、本発明の実施の形態２における冷蔵庫の側壁に設置した照明装置の断面図で、先の実施の形態１における図３相当図である。なお、冷蔵庫については、先の実施の形態と同じ構成であり、また、先の実施の形態１と同様の構成要素については、同一の符号を付し、その詳細な説明は省略する。
【００５７】
図４において、実装基板１は、平板状で一面または両面に回路パターン（図示せず）が形成され、熱伝導性の良好なエポキシ樹脂系の基板あるいは絶縁金属基板を用いている。
【００５８】
また、ＬＥＤ２は砲弾状に形成され、電流を通電する２本の通電端子３が導出されている。
【００５９】
第一のリフレクタ１６は、平板を基調とし、その表面に銀メッキやアルミテープが貼り付けられ、照射された光を反射させるように構成されている。そして、その周縁は、最奥部の辺を除いて若干傾斜するように折り曲げ加工が施されており、ＬＥＤ２の光が極力冷蔵室６の奥部へ照射されるように構成されている。また、第一のリフレクタ１６には、複数の挿通孔が並設されている。
【００６０】
第一のリフレクタ１６の裏面には、断熱板４が設けられており、この断熱板４は、ウレタン等の樹脂により平板状に形成されたもので、複数の挿通孔が並設されており、実装基板１、第一のリフレクタ１６、断熱材４、ＬＥＤ２の順番で取付けられている。
【００６１】
ＬＥＤ２の実装基板１への実装取付け構造は、先の実施の形態１と同じである。
【００６２】
また、第一のリフレクタ１６には、ＬＥＤ２とＬＥＤ２の間に、第二のリフレクタ１７が所定間隔で設けられており、各ＬＥＤ２を囲むように位置している。第二のリフレクタ１７についても、ＬＥＤ２の光を冷蔵室６の奥部へ照射できるように、冷蔵室６奥部側に位置する部分は光を遮らないよう欠落された形状となっている。
【００６３】
さらに、第二のリフレクタ１７におけるＬＥＤ２の発光が当る面は、ＬＥＤ２からの光が反射して光軸（白矢印で示す照射方向Ａ）と略平行方向に反射するように、所定の角度、曲面を持った形状に形成されており、また、その表面は、第一のリフレクタ１６と同様の反射加工が施されている。
【００６４】
第一のリフレクタ１６および第二のリフレクタ１７は、本発明の反射手段に相当するものである。
【００６５】
実装基板１は、冷蔵室６の側壁１４に設けられた凹部２０内に、スペーサー１５によって保持されており、ＬＥＤ２の発光部から一定の距離をおいて、ランプカバー１１ａがＬＥＤ２の発光部全体を覆うように側壁１４に装着されている。
【００６６】
以上のように構成された冷蔵庫の照明装置１１について、以下その動作、作用を説明する。
【００６７】
ＬＥＤ２から発光された光は、照射方向Ａに照射され、ランプカバー１１ａに進行して庫内へ照射される。また、ＬＥＤ２は、砲弾型やチップ型で光が拡散する構造となっているため、一部、照射方向Ａとは異なる方向に発光照射するが、この方向成分については、第二のリフレクタ１７によってその方向が規制される。
【００６８】
例えば、ＬＥＤ２の側面から発光した光は、第二のリフレクタ１７により照射された光が反射方向Ｃに照射され、照射方向Ａと同じ方向へ照射して、ランプカバー１１から冷蔵室６内に照射される。
【００６９】
かかる構成において、第一のリフレクタ１６と第二のリフレクタ１７を一体構造とすることにより、組立て性が向上することはいうまでもない。
【００７０】
以上のように、本実施の形態２においては、一個当りのＬＥＤ２における照射方向Ａ以外の光をほとんど全て照射方向Ａへ反射させることができるため、ＬＥＤ２からの照射性および照射範囲を最大限に向上させることができ、冷蔵室６内をより明るく演出することができる。
【００７１】
（実施の形態３）
図５は、本発明の実施の形態３における冷蔵庫の側壁に設置した照明装置の断面図で、先の実施の形態１における図３相当図である。図６は、同実施の形態３における照明装置のＬＥＤの実装状態を説明する要部断面図である。なお、冷蔵庫については、先の実施の形態と同じ構成であり、また、先の実施の形態１と同様の構成要素については、同一の符号を付し、その詳細な説明は省略する。
【００７２】
図５、図６において、実装基板１、ＬＥＤ２、通電端子３および断熱板４で先の実施の形態１、２と同様に照明装置１１の基本部分を構成している。
【００７３】
実装基板１は、冷蔵室６の側壁１４に形成された凹部２０にスペーサー１５を介して保持されている。
【００７４】
第三のリフレクタ１８は、本発明の反射手段に相当するもので、先の実施の形態２における第二のリフレクタ１７と同様に、各ＬＥＤ２を、冷蔵室６の奥部側を除いて囲む形状の突部１８ａを所定間隔で具備しており、また、それぞれの突部１８ａの間に位置する基部には、図６に示す如く、ＬＥＤ２が貫通する挿通孔１８ｂが設けられている。
【００７５】
さらに、突部１８ａの反射面は、先の実施の形態２における第二のリフレクタ１７と同様の形状に形成され、また同様に表面加工が施されているものである。
【００７６】
したがって、第三のリフレクタ１８の組立ては、実装基板１に実装されたＬＥＤ２の光軸方向から断熱材４の方向へ挿入することにより、断熱材４の面に組み付けられている。
【００７７】
そして、複数の突部１８ａの先端にランプカバー１１ａが当接する状態で設けられ、全体を覆うように冷蔵室６の側壁１４に設けた凹部２０内に装着されている。
【００７８】
以上のように構成された冷蔵庫の照明装置１１について、以下その動作、作用を説明する。
【００７９】
ＬＥＤ２から発光された光は、図５の白矢印で示す如く照射方向Ａに照射され、ランプカバー１１ａに進行して庫内へ照射される。また、ＬＥＤ２は、砲弾型やチップ型で光が拡散する構造となっているため、一部、照射方向Ａとは異なる方向に発光照射するが、この方向成分については、突部１８ａの反射面によってその方向が規制され、その結果、矢印線で示す如く反射方向Ｄに照射され、照射方向Ａと同じ方向へ照射して、ランプカバー１１から発光した光が冷蔵室６内に照射される。
【００８０】
以上のように、本実施の形態３においては、実装基板１にＬＥＤ２を実装して照明基板を構成し、冷蔵庫の壁面へ埋設搭載させた後に、第三のリフレクタ１８を取付けることができるため、ＬＥＤ２の実装等の組付けが容易で、照射性および照射範囲を向上させることができる。
【００８１】
（実施の形態４）
図７は、本発明の実施の形態４における冷蔵庫の側壁に設置した照明装置の断面図で、先の実施の形態１における図３相当図である。図８は、同実施の形態４における照明装置のカバーを除いた正面図である。なお、冷蔵庫については、先の実施の形態と同じ構成であり、また、先の実施の形態１と同様の構成要素については、同一の符号を付し、その詳細な説明は省略する。
【００８２】
図７、図８において、実装基板１、ＬＥＤ２、通電端子３および断熱板４で先の実施の形態１、２および３と同様に照明装置１１の基本部分を構成している。
【００８３】
実装基板１は、冷蔵室６の側壁１４に形成された凹部２０にスペーサー１５を介して保持されている。
【００８４】
また、凹部２０の内側には、反射部材１９が設けられている。この反射部材１９は、本発明の反射手段に相当するもので、ＬＥＤ２側の面に、アルミテープや反射フィルムを貼り付け、もしくはコーティング材を塗布する等して反射加工が施されているものである。そして、反射部材１９は、図８において、ハッチングおよび太線で示すように、冷蔵室６の奥側を除き実装基板１および複数のＬＥＤ２を囲むように凹部２０内壁に設置されている。
【００８５】
以上のように構成された冷蔵庫の照明装置１１について、以下その動作、作用を説明する。
【００８６】
ＬＥＤ２から発光された光の大半は、図７の白矢印で示す照射方向Ａに照射され、ランプカバー１１ａに進行して庫内へ照射される。また、ＬＥＤ２は、砲弾型やチップ型で光が拡散する構造となっているため、一部、照射方向Ａとは逆方向、および横方向側へも拡散する。これらの光は、図８のハッチングおよび太線で示す面に照射する光が該当するものであるが、かかる部分には前述の如く反射部材１９が施されているため、その反射作用によって方向が規制される。
【００８７】
例えば、図７の矢印線で示すように、凹部２０の底面側に照射した光は、反射部材１９によって反射され、反射方向Ｅで示すように照射方向Ａと略同じ方向に照射されるようになり、冷蔵室６内に照射される。
【００８８】
また、前述の如く冷蔵室６の奥側には、光を遮らないように反射部材１９を設けていないため、冷蔵室６の奥側にも光が照射される。
【００８９】
以上のように、本実施の形態４においては、照射方向に対し、横へ広がる光を照射方向へ反射させることができ、照射性および照射範囲を向上させた照明装置を構成することができる。
【産業上の利用可能性】
【００９０】
本発明にかかる貯蔵装置は、家庭用又は業務用冷蔵庫にＬＥＤの照明を適用する場合に実施することはもちろん、扉のある物品貯蔵装置等、ＬＥＤ照明を適用する幅広い設備機器に応用できるものである。
【図面の簡単な説明】
【００９１】
【図１】本発明の実施の形態１における冷蔵庫の扉を取り去った状態の正面図
【図２】同冷蔵庫における図１のＡ−Ａ線による冷蔵室の断面図
【図３】同冷蔵庫における図２のＢ−Ｂ線による冷蔵室側壁に設けた照明装置の断面図
【図４】本発明の実施の形態２における照明装置の図３相当図
【図５】本発明の実施の形態３における照明装置の図３相当図
【図６】同実施の形態３における照明装置のＬＥＤの実装状態を説明する要部断面図
【図７】本発明の実施の形態４における照明装置の図３相当図
【図８】同実施の形態４における照明装置のカバーを除いた正面図
【図９】従来の冷蔵庫に用いられる照明装置の斜視図
【符号の説明】
【００９２】
１    実装基板
２    ＬＥＤ
３    通電端子
４    断熱板
５    冷蔵庫本体
６    冷蔵室
７    製氷室
８    切替え室
９    野菜室
１０  冷凍室
１１  照明装置
１１ａ  ランプカバー
１２  収納棚
１３  特定低温室
１４  側壁
１５  スペーサー
１６  第一のリフレクタ
１７  第二のリフレクタ
１８  第三のリフレクタ
１９  反射部材
２０  凹部
【図１】
2008039359.tif 000003
【図２】
2008039359.tif 000004
【図３】
2008039359.tif 000005
【図４】
2008039359.tif 000006
【図５】
2008039359.tif 000007
【図６】
2008039359.tif 000008
【図７】
2008039359.tif 000009
【図８】
2008039359.tif 000010
【図９】
2008039359.tif 000011